(57)【要約】【課題】流し読みガラスの清掃を行い易くする。【解決手段】画像読取装置は、上面を原稿が通過する流し読みガラス３２１と、流し読みガラスの下方の位置で、流し読みガラスの上面を通過する原稿に光を照射し、かつ原稿通過方向Ｈに往復移動可能なＬＥＤ３１６ｃを有して、ＬＥＤの反射光を受光して原稿の画像を読み取る読取部と、流し読みガラスの原稿通過方向の上流側または下流側の端面に対向して設けられ、ＬＥＤの光を流し読みガラスの端面３２１ｃに案内する反射面３２２ｃと、を備え、反射面３２２ｃは、ＬＥＤが反射面の下方から照射する光を流し読みガラスの端面に案内して、汚れを浮きだたせて、汚れを発見しやすくことができる。【選択図】図９
2015109623.tif 000002
【特許請求の範囲】
【請求項１】
上面を原稿が通過する透明体と、
前記透明体の下方の位置で、前記透明体の上面を通過する原稿に光を照射し、かつ原稿通過方向に往復移動可能な光源を有して、前記光源の反射光を受光して原稿の画像を読み取る読取部と、
前記透明体の前記原稿通過方向の上流側または下流側の端面に対向して設けられ、照射される光を前記透明体の端面に案内する光案内部と、
を備え、
前記光案内部は、前記光源が前記光案内部の下方から照射する光を前記透明体の端面に案内する、
ことを特徴とする画像読取装置。
【請求項２】
前記光源の光によって前記透明体の上面の汚れを検知する汚れ検知手段と、を備え、
前記光源は、前記汚れ検知手段の汚れ検知動作によって、前記光案内部の下方に移動して、前記光案内部に光を照射し、照射した該光を前記透明体の端面に前記光案内部によって案内させる、
ことを特徴とする請求項１に記載の画像読取装置。
【請求項３】
前記透明体の下流側に配置されて、前記透明体の上面を通過する原稿を上方へ案内して前記上面から離間させる案内面を有する原稿案内部材を備え、
前記光案内部は、前記原稿案内部材に形成されて、前記透明体の端面に対向した下向きの反射面である、
ことを特徴とする請求項１又は２に記載の画像読取装置。
【請求項４】
前記光案内部は、前記透明体の下流側に配置されて、前記光源の光を前記透明体の端面に案内する導光体である、
ことを特徴とする請求項１又は２に記載の画像読取装置。
【請求項５】
前記透明体の下流側に配置されて、前記透明体の上面を通過する原稿を上方へ案内して前記上面から離間させる案内面を有する原稿案内部材を備え、
前記導光体は、前記原稿案内部材の前記透明体の下流側の端面と対向して配置されている、
ことを特徴とする請求項４に記載の画像読取装置。
【請求項６】
原稿の画像を読み取る画像読取装置と、
前記画像読取装置が読み取った画像をシートに形成する画像形成部と、を備え、
前記画像読取装置が請求項１乃至５のいずれか１項に記載の画像読取装置である、
ことを特徴とする画像形成装置。
【発明の詳細な説明】
【技術分野】
【０００１】
本発明は、原稿を読み取る画像読取装置と、この画像読取装置を装置本体に備えた画像形成装置とに関する。
【背景技術】
【０００２】
従来、シートに画像を形成する複写機、プリンタ等の画像形成装置は、原稿を読み取る画像読取装置を画像形成装置の装置本体に備えていることがある。画像読取装置は、流し読みガラスの上面に自動的に供給されてくる原稿を、透明体としての流し読みガラスの下方に位置する画像読取部で、読み取るようになっている。このような原稿の読み取り方を「流し読み」とする。
【０００３】
ところが、流し読みガラスの原稿が通過する上面に、汚れが付いたり、塵埃が付着したりすることがある。この場合、画像読取装置は、原稿の画像と、汚れや塵埃（以下、塵埃も含めて「汚れ」という）を一緒に読み取ることになる。このため、画像読取装置の画像読取情報に基づいて、画像形成装置がシートに原稿の画像を複写すると、汚れが複写画像に副走査方向（原稿給送方向）のスジとなって現れることがある。
【０００４】
そこで、汚れを除去すべく、流し読みガラスを清掃するのに、流し読みガラスのどの部分を清掃したらよいのか汚れの位置を画像読取装置の光源によって照射して分かるようにした画像読取装置がある（特許文献１）。
【先行技術文献】
【特許文献】
【０００５】
【特許文献１】特開２００７−１０４４４４号公報
【発明の概要】
【発明が解決しようとする課題】
【０００６】
しかし、特許文献１に記載の画像読取装置は、汚れの位置を画像読取装置の光源で照射するとき、流し読みガラスの下方から上方に向けて光を照射するため、ユーザにとっては、その光が眩しく、汚れの位置を確認しにくいことがあった。
【０００７】
また、流し読みガラスの汚れを除去しにくい画像読取装置を装置本体に備えた画像形成装置は、シートに、副走査方向にスジの入った複写画像を形成することなり、画像の品質を低下させるという問題があった。
【０００８】
本発明は、透明体の汚れを見易くした画像読取装置と、この画像読取装置を装置本体に備えた画像形成装置とを提供することにある。
【課題を解決するための手段】
【０００９】
本発明の画像読取装置は、上面を原稿が通過する透明体と、前記透明体の下方の位置で、前記透明体の上面を通過する原稿に光を照射し、かつ原稿通過方向に往復移動可能な光源を有して、前記光源の反射光を受光して原稿の画像を読み取る読取部と、前記透明体の前記原稿通過方向の上流側または下流側の端面に対向して設けられ、照射される光を前記透明体の端面に案内する光案内部と、を備え、前記光案内部は、前記光源が前記光案内部の下方から照射する光を前記透明体の端面に案内する、ことを特徴としている。
【００１０】
本発明の画像形成装置は、原稿の画像を読み取る画像読取装置と、前記画像読取装置が読み取った画像をシートに形成する画像形成部と、を備え、前記画像読取装置が上記の画像読取装置である、ことを特徴としている。
【発明の効果】
【００１１】
本発明の画像読取装置は、光源が、光案内部の下方に移動して、光案内部に光を照射すると、その照射した該光が光案内部によって透明体の端面に案内されるようになっている。このため、本発明の画像読取装置は、光源の光が透明体の下方から上方へ投射されることがなく、光が、ユーザの目に直接入ることが少なくなり、ユーザが汚れの位置を確認し易く、かつ汚れを除去し易いという効果を奏する。また、汚れは、側面から光を照射されるので、光を照射された反対側に影ができ、影によって位置を強調されるようになる。このため、本発明の画像読取装置は、ユーザが、汚れの位置を確認し易くなるという効果も奏する。
【００１２】
本発明の画像形成装置は、透明体に付着した汚れをユーザが除去し易くなっているので、シートに、副走査方向にスジの入った複写画像を形成することが少なくなり、画像の品質の低下を防止することができる。
【図面の簡単な説明】
【００１３】
【図１】本発明の実施形態における画像形成装置のシート搬送方向に沿った断面概略図である。
【図２】本発明の実施形態の画像読取装置の装置本体の平面図である。
【図３】図２の画像読取装置の装置本体の固定読みガラス、流し読みガラス、及び掬い上げ部材を取り除いた平面図である。
【図４】図３において、走査部を矢印Ｆ方向から見た図である。
【図５】走査部のＣＩＳの構成を示す図である。
【図６】本発明の制御部と、それに接続される部分とのブロック図である。
【図７】汚れ検知位置を示す図である。
【図８】流し読み位置選択動作説明用の図である。
【図９】ＬＥＤの光を流し読みガラスの端面に案内する構成を示す図である。
【図１０】図９と異なる、ＬＥＤの光を流し読みガラスの端面に案内する構成を示す図である。
【図１１】流し読み位置選択動作説明用のフローチャートである。
【図１２】図１に示す読取部と構造のことなる読取部を示した図である。
【発明を実施するための形態】
【００１４】
以下、本発明の実施形態の画像読取装置と、この画像読取装置を装置本体に備えた画像形成装置とを図に基づいて説明をする。
【００１５】
図１は、本発明の実施形態における画像形成装置のシート搬送方向に沿った断面概略図である。画像形成装置１００は、装置本体４００と、装置本体４００の上部に設けられた画像読取装置３００とを備えている。
【００１６】
装置本体４００内のピックアップローラ４２０，４２１は、カセット４０４，４０５に収納されたシートＰをカセット４０４，４０５から送り出す。搬送ローラ対４２２は、カセットから送り出されたシートを、感光体ドラム４０２と転写器４０６との間に送り込む。
【００１７】
一方、レーザスキャナ４０１は、帯電器４２３で表面を帯電された感光体ドラム４０２にレーザを照射して、画像読取装置３００で原稿を読み取った画像情報に基づいた潜像を感光体ドラム４０２に形成する。その潜像は、トナー現像器４０３によって、トナー現像されて、トナー画像となる。転写器４０６は、感光体ドラム４０２と転写器４０６との間に送り込まれたシートに感光体ドラム４０２のトナー画像を転写して、そのシートを感光体ドラム４０２とで定着器４０７に送り込む。定着器４０７は、シートを加熱してトナー画像をシートに定着する。最後、排出ローラ対４０８がシートをトレイ４２４に排出する。
【００１８】
シートの両面に画像を形成する場合、定着器４０７から送り出されたシートは、切替部材４０９，４１７，４１３の案内と、搬送ローラ対４１１の搬送とによって反転パス４１２に送り込まれる。その後、シートは、搬送ローラ対４１１の逆転と切替部材４１３の案内とによって、反転パス４１２から帰還パス４１０に送り込まれる。この間にシートは、スイッチバック搬送されて、表裏反転される。シートは、帰還パス４１０を案内されて、再度、感光体ドラム４０２と転写器４０６との間に送り込まれて他方の面にトナー画像を形成される。シートは、定着器４０７においてトナー画像を定着されて、最後、トレイ４２４に排出される。
【００１９】
帯電器４２３、感光体ドラム４０２、トナー現像器４０３、及び転写器４０６等は、画像形成部４３０を構成している。
【００２０】
画像読取装置３００は、画像読取装置３００の装置本体３０３と、装置本体３０３に開閉自在に設けられた原稿供給部２００とを備えている。
【００２１】
原稿供給部２００は、原稿トレイ２０１上の原稿Ｄを、搬送ローラ２０２，２０３，２０５，２０６，２０７によって、流し読みガラス３２１上に送り込み、その後、搬送ローラ２０８、排出ローラ２０９によって排出トレイ２１０に排出するようになっている。
【００２２】
装置本体３０３は、原稿供給部２００と対向する部分に、固定読みガラス３０１と、流し読みガラス３２１と、掬い上げ部材３２２とを有している。装置本体３０３には、内部に、走査部３０２と、信号処理部５０３と、走査駆動部４５０（図３）等が設けられている。
【００２３】
画像読取装置３００は、後述する走査部３０２を流し読みガラス３２１の下に待機させて、原稿供給部２００によって流し読みガラス３２１上に送り込まれてくる原稿に走査部３０２の光を照射させ、その反射光を走査部３０２に受光させる。そして、走査部３０２は、受光した光を電気信号に変換する。その電気信号は、信号処理部５０３によって処理された後、後述する制御部５１０（図６）を介してレーザスキャナ４０１に画像情報を電気信号として送られる。このような原稿の読み方を流し読みという。また、画像読取装置３００は、原稿供給部２００を開いて、開放された固定読みガラス３０１に原稿を載置した後、原稿供給部２００を閉じて、走査部３０２を矢印Ｈ方向に移動させることによって原稿を読みとる固定読みも行えるようになっている。
【００２４】
また、画像読取装置３００は、走査部３０２が読み取った画像情報を装置本体４００のレーザスキャナ４０１に送る他に、パソコン、ファクシミリ等の外部機器にも送信できるようになっている。
【００２５】
以上の構成で、走査部３０２、信号処理部５０３、及び制御部５１０等は、読取部４６０を構成している。
【００２６】
図２は、本発明の実施形態の画像読取装置３００の装置本体３０３の平面図である。図３は、画像読取装置３００の装置本体３０３の固定読みガラス３０１、流し読みガラス３２１、及び掬い上げ部材３２２を取り除いた平面図である。図４は、図３において、走査部を矢印Ｆ方向から見た図である。図２、図３において、左右方向を副走査方向、副走査方向に直交する方向を主走査方向とする。副走査方向は、流し読み時における原稿通過方向でもある。
【００２７】
装置本体３０３には、走査部３０２を往復移動自在に案内するガイドシャフト３０７が副走査方向に沿って設けられている。走査部３０２は、長尺の部材で主走査方向に対して平行に位置している。図３において、ガイドシャフト３０７の一端（左端）側には、駆動モータ３０８と、駆動モータ３０８の回転力を伝えるギア３０９と、ギア３０９によって回転するプーリ３１０とが配設されている。ガイドシャフト３０７の他端（右端）側には、プーリ３１１が配設されている。プーリ３１０とプーリ３１１とには、タイミングベルト３１２が架け渡してある。タイミングベルト３１２は、副走査方向に対して平行に配置されて、走査部３０２の走行体３０４に連結されている。
【００２８】
したがって、駆動モータ３０８が回転すると、ギア３０９、プーリ３１０が回転して、タイミングベルト３１２がプーリ３１０，３１１に案内されて循環し、走査部３０２が副走査方向に往復移動をする。走査部３０２の副走査方向の矢印Ｈ，Ｅ方向への移動の切り替えは、駆動モータ３０８の回転方向の切り替えによって行われる。走査部３０２は、固定読みガラス３０１の下を往復移動して、画像読取装置３００が原稿の固定読みができるようになっている。また、走査部３０２は、流し読みガラス３２１の下に移動して停止して、原稿供給部２００から送られてくる原稿を流し読みできるようになっている。なお、走査部３０２がホームポジションに居るか否かは、装置本体３０３の左端に設けられた、ホームポジションセンサ３１３（図３）によって検知される。以上の構成において、ガイドシャフト３０７、駆動モータ３０８、ギア３０９、タイミングベルト３１２、プーリ３１０，３１１等は、走査部３０２を副走査方向に往復移動させる駆動部４５０を構成している。
【００２９】
図４は、図３において、走査部３０２を矢印Ｆ方向から見た図である。図５は走査部３０２のＣＩＳ３１６の構成を示す図である。走査部３０２は、主走査方向に沿った長尺な部材であり、ＣＩＳ３１６、圧縮コイルバネ３１４、走行体３０４、スペーサ３１５等で構成されている。走行体３０４は、ガイドシャフト３０７に支持され、かつタイミングベルト３１２に接続されて、副走査方向に往復移動するようになっている。このため、走査部３０２は、駆動部４５０によって副走査方向に往復移動するように（往復移動可能に）なっている。
【００３０】
ＣＩＳ３１６は、原稿に光を照射して、その反射光を受光し、電気信号に変換して信号処理部５０３（図６）に画像信号として送るようになっている。ＣＩＳ３１６は、ＬＥＤ３１６ｃ、ライトガイド３１６ｂ、ロッドレンズアイ３１６ｄ、及びイメージセンサ３１６ｅ等を備えている。光源としてのＬＥＤ３１６ｃは、流し読みガラス３２１上の原稿、或いは固定読みガラス３０１上の原稿に、下方から上方に向けて光Ｌを照射するようになっている。ライトガイド３１６ｂは、ＬＥＤ３１６ｃの光を有効に流し読みガラス３２１上の原稿、或いは固定読みガラス３０１上の原稿に照射できるように案内する部材である。ロッドレンズアイ３１６ｄは、ＬＥＤ３１６ｃが原稿を照射した光の反射光を、イメージセンサ３１６ｅに結像するようになっている。ロッドレンズアイ３１６ｄは、結像の輝度に応じた電気信号を発するようになっている。信号処理部５０３は、イメージセンサ３１６ｅの読取信号（画像信号）を処理して電気信号として処理部５１１に送るようになっている。なお、光源としては、ＬＥＤ３１６ｃの代わりに蛍光灯を使用してもよい。
【００３１】
ＣＩＳ３１６は、走行体３０４に圧縮コイルばね３１４によって支持されており、圧縮コイルばね３１４によってスペーサ３１５を介して固定読み用ガラス３０１又は流し読みガラス３２１に押しつけられている。このため、ＣＩＳ３１６の上面３１６ｆと、固定読み用ガラス３０１、及び流し読みガラス３２１の下面３０１ａ，３２１ａとの間に隙間Ｇが形成されている。この隙間Ｇは、ＣＩＳ３１６の上面３１６ｆが各ガラスの下面３０１ａ，３２１ａに接触しないようにするために形成されている。また、隙間Ｇは、ＣＩＳ３１６及び流し読みガラス３２１が多少たわんで捻じれていても、ＣＩＳ３１６と固定読み用ガラス３０１、及び流し読みガラス３２１との距離を一定に保つために形成されており、画像読取装置３００の読取精度の低下を防止している。
【００３２】
以上の構成の画像読取装置３００は、走査部３０２を駆動部４５０の駆動によって副走査方向に、固定読みガラス３２０の下を移動させて、ユーザによって固定読み用ガラス３０１上に置かれた原稿を固定読みすることができる。また、画像読取装置３００は、走査部３０２を駆動部４５０の駆動によって副走査方向の矢印Ｅに移動させて、図１に示すように、流し読みガラス３２１の下に停止させる。そして、画像読取装置３００は、原稿供給部２００によって、原稿を流し読みガラス３２１上に自動的に搬送して、原稿の流し読みもすることができる。
【００３３】
ところで、画像読取装置３００が、流し読みを行うとき、流し読みガラスの汚れ検知領域に汚れ等が付着している場合がある。このような場合、流し読みガラス３２１の下に停止した走査部３０２が透明体としての流し読みガラス３２１上を通過する原稿を読み取るため、画像形成装置１００は、その汚れ等を黒いスジとして、複写した画像に形成することがある。
【００３４】
（ガラスの汚れ検知手段）
そこで、本実施形態の画像読取装置３００は、汚れを検知できるようになっており、次に、ガラスに付着した汚れや塵埃（以下、塵埃を含めて「汚れ」という）の検知について説明をする。図６は、画像読取装置の制御ブロック図であり、制御部５１０に、イメージセンサ３１６ｅ、信号処理部５０３、駆動モータ３０８、操作パネル５０６等が接続されている。
【００３５】
制御部５１０は、ＣＰＵ等の処理部５１１と、不図示のＲＡＭ、ＲＯＭ、及びラインメモリ等の記憶部５１２と、汚れ検知部５１４と、光量調節部５１５等を備えている。処理部５１１は、記憶部５１２に記憶されたプログラムを実行するようになっている。走査部３０２に備えられているイメージセンサ３１６ｅの読取信号（画像信号）は、信号処理部５０３で光から電気信号に変換されて処理部５１１に入力される。信号処理部５０３は、読取信号を増幅するアンプ、増幅された読取信号をアナログ−デジタル変換するＡ／Ｄ変換器、デジタル変化された読取信号のシェーディング補正処理を行うシェーディング補正回路等が含まれている。
【００３６】
他のファクシミリ、パソコン等の外部デバイス、或いはＬＥＤ３１６ｃと処理部５１１は、インターフェース部５１３によって接続されている。操作パネル５０６は、汚れ検知部５１４が汚れを検出したとき、汚れを除去する清掃等をユーザに報知するようになっている。また、操作パネル５０６は、ＬＥＤ３１６ｃの明るさを調節する摘み５０７、報知内容を表示するディスプレイ（不図示）、及び報知内容を音声で出力する音声出力部（不図示）等を備えている。
【００３７】
図６において、汚れ検知部５１４は、流し読みガラス３２１の汚れ検知領域Ｗ内に設定した複数箇所の内、汚れている箇所を検知するようになっている。汚れ検知領域Ｗは、搬送ローラ２０７が流し読みガラス３２１に接触する位置より原稿通過方向（矢印Ｈ方向）の上流側の、副走査方向に幅を有して主走査方向に延びた帯状の領域である。汚れを検知する汚れ検知位置は、図７において、主走査方向に沿って延びた、直線状のＡ、Ｂ、Ｃの３箇所である。なお、汚れ検知位置は、３箇所に限定されない、複数個所あれば良い。
【００３８】
流し読みガラス３２１の汚れ検知動作を説明する。画像読取装置３００が、流し読みガラス３２１の汚れを検知するとき、流し読みガラス３２１の上面３２１ｂと、固定読みガラス３０１の上面３０１ｂは、原稿供給部２００によって閉められている。制御部５１０は、走査駆動部４５０の駆動モータ３０８を制御して、走査部３０２を汚れ検知動作開始位置ＷＳから第１の汚れ検知位置Ａに移動させて、その位置に停止させる。そして、制御部５１０は、ＬＥＤ３１６ｃで第１の汚れ検知位置Ａを照射させる。イメージセンサ３１６ｅがロッドレンズアイ３１６ｄを介して反射光を受光する。
【００３９】
汚れ検知部５１４は、イメージセンサ３１６ｅが読み取った汚れ検知レベルが予め設定された閾値（一定値）以上か否かを判断する。図８に示すように、仮に、閾値未満であれば、制御部５１０は、第１の検知位置Ａが汚れていないものとして、走査部３０２を第１の検知位置Ａに停止させたままで、画像読取装置３００に原稿の流し読み動作をさせる。
【００４０】
しかし、第１の検知位置Ａの汚れが閾値以上であると、制御部５１０は、第１の検知位置Ａが汚れているものとして、駆動モータ３０８を再度制御して、走査部３０２を第１の検知位置Ａから、第２の検知位置Ｂに移動させて、その位置に停止させる。そして、制御部５１０は、ＬＥＤ３１６ｃで第２の汚れ検知位置Ｂを照射させる。イメージセンサ３１６ｅがロッドレンズアイ３１６ｄを介して反射光を受光する。汚れ検知部５１４は、第２の検知位置Ｂでイメージセンサ３１６ｅが読み取った汚れ検知レベルが予め設定された閾値以上か否かを判断する。仮に、閾値未満であれば、制御部５１０は、第２の検知位置Ｂが汚れていないものとして、走査部３０２を第２の検知位置Ｂに停止させたままで、画像読取装置３００に原稿の流し読み動作をさせる。
【００４１】
しかし、第２の検知位置Ｂの汚れが閾値以上であると、制御部５１０は、第２の検知位置Ａが汚れているものとして、駆動モータ３０８を再度制御して、走査部３０２を第２の検知位置Ｂから、第３の検知位置Ｃに移動させて、その位置に停止させる。そして、制御部５１０は、ＬＥＤ３１６ｃで第３の汚れ検知位置Ｂを照射させる。イメージセンサ３１６ｅがロッドレンズアイ３１６ｄを介して反射光を受光する。汚れ検知部５１４は、第３の検知位置Ｃでイメージセンサ３１６ｅが読み取った汚れ検知レベルが予め設定された閾値以上か否かを判断する。仮に、閾値未満であれば、制御部５１０は、第３の検知位置Ｃが汚れていないものとして、走査部３０２を第３の検知位置Ｃに停止させたままで、画像読取装置３００に原稿の流し読み動作をさせる。しかし、第３の検知位置Ｃの汚れが閾値以上であれば、制御部５１０は、第３の検知位置Ｃが汚れているものと判断する。
【００４２】
以上の説明で、すべての汚れ検知位置Ａ，Ｂ，Ｃにおいて、汚れが、予め設定した閾値以上である場合、制御部５１０は、流し読みガラス３２１の上面３２１ｂをユーザに清掃してもらうため、清掃を促すポップアップを操作パネル５０６に表示する。また、制御部５１０は、走査部３０２を流し読みガラス３２１と固定読みガラス３０１との間の下に移動させて、ＬＥＤ３１６ｃを所定の時間点灯させる。このとき、操作パネル５０６を見たユーザは、汚れを除去するため、原稿供給部２００の手前側を持ち上げて、原稿供給部２００を後方に回転させ、流し読みガラス３２１の上面３２１ｂと、固定読みガラス３０１の上面３０１ｂとを開放している。
【００４３】
図９に示すように、流し読みガラス３２１の原稿通過方向Ｈの下流側の位置で、固定読みガラス３０１上には、掬い上げ部材３２２が設けられている。原稿案内部材としての掬い上げ部材３２２の一端３２２ａは、固定読みガラス３０１と流し読みガラス３２１との間に進入している。掬い上げ部材３２２は、流し読みガラス３２１の上面３２１ｂを通過する原稿を上方へ案内して流し読みガラス３２１の上面３２１ｂから離間させる湾曲状の案内面３２２ｂを形成されている。また、掬い上げ部材３２２の一端３２２ａには、流し読みガラス３２１の端面３２１ｃに対向した下向きの光案内部としての反射面３２２ｃが形成されている。
【００４４】
流し読みガラス３２１と固定読みガラス３０１との間の下に移動した走査部３０２は、ＬＥＤ３１６ｃの光Ｌで反射面３２２ｃを照射できる位置に停止する。すると、ＬＥＤ３１６ｃの光Ｌは、反射面３２２ｃに反射されて、流し読みガラス３２１の原稿通過方向Ｈの下流側の端面３２１ｃに対して略直角の状態で、流し読みガラス３２１内に入光する。流し読みガラス２１に進入した光Ｌは、流し読みガラス２１の上面３２１ｂと平行に流し読みガラス内を進む。流し読みガラス内に進入した光は、流し読みガラス２１の上面３２１ｂと平行に進むため、流し読みガラス２１の上方へ出る光量が少なく、ユーザの目に直接入る光の光量が少ない。このため、ユーザは、汚れの位置を確認し易く、かつ汚れＤＳを除去し易くなる。また、汚れＤＳが側面から光を照射されるので、光を照射された反対側に影ができ、影によって位置を強調されるので、ユーザは、汚れＤＳを目視しやすくなる。よって、ユーザが汚れの除去を確実に行えるようになる。
【００４５】
なお、反射面３２２ｃの代わりに、図１０に示すように、断面が直角３角形の長尺の導光体３３０を流し読みガラス３２１の下流側の端面３２１ｃに対向させて掬い上げ部材３２２に配置してもよい。光案内部材としての導光体３３０の材質としては、ＰＭＭＡが好ましい。導光体３３０は、掬い上げ部材３２２と一体成型されていてもよい。この場合、掬い上げ部材３２２にＰＭＭＡを使用するのが好ましい。
【００４６】
ＬＥＤ３１６ｃの光は、導光体３３０に進入するときと、出るときとにおいて、屈折して、流し読みガラス３２１に対して略直角の状態で、流し読みガラス３２１内に入光する。流し読みガラス２１に進入した光Ｌは、流し読みガラス２１の上面３２１ｂと平行に流し読みガラス内を進む。したがって、導光体３３０を使用したときも、反射面３２２ｃを使用したときと、同様な効果を奏する。
【００４７】
また、ＬＥＤ３１６ｃの光量は、操作パネル５０６上に表示して、光量調整摘み５０７によって調節できるようになっている。このため、ユーザが汚れを発見し易くなっている。なお、ＬＥＤ３１６ｃは、汚れをある程度の時間照射すると消えるようにしてもよい。
【００４８】
以上の画像読取装置３００を備えた画像形成装置１００は、流し読みガラス３２１に付着した汚れをユーザが除去し易くなっているので、シートに、副走査方向にスジの入った複写画像を形成することが少なくなり、画像の品質の低下を防止することができる。
【００４９】
図１１は、汚れ検知動作説明用のフローチャートである。制御部５１０は、駆動モータ３０８を制御して、走査部３０２をホームポジションセンサ３１３（図３）に検知されたホームポジションから、汚れ検知動作開始位置ＷＳに移動させる（Ｓ１０）。そして、制御部５１０は、走査部３０２を第１の汚れ検知位置Ａに移動させる。汚れ検知部５１４が第１の汚れ検知位置Ａが汚れているか否かを判断する（Ｓ１２）。
【００５０】
汚れていない場合（Ｓ１４でＮｏ）、制御部５１０は、流し読み位置を、第１の汚れ検知位置Ａに決定して（Ｓ１６）、画像読取装置３００に画像読取動作を開始させる。汚れている場合（Ｓ１４でＹｅｓ）、制御部５１０は、走査部３０２を第２の汚れ検知位置Ｂに移動させる（Ｓ１８）。そして、汚れ検知部５１４が第２の汚れ検知位置Ｂが汚れているか否かを判断する。
【００５１】
汚れていない場合（Ｓ２０でＮｏ）、制御部５１０は、流し読み位置を、第２の汚れ検知位置Ｂに決定して（Ｓ２２）、画像読取装置３００に画像読取動作を開始させる。汚れている場合（Ｓ２０でＹｅｓ）、制御部５１０は、走査部３０２を第３の汚れ検知位置Ｃに移動させる（Ｓ２４）。そして、汚れ検知部５１４が第３の汚れ検知位置Ｃが汚れているか否かを判断する。
【００５２】
汚れていない場合（Ｓ２６でＮｏ）、制御部５１０は、流し読み位置を、第３の汚れ検知位置Ｃに決定して（Ｓ２８）、画像読取装置３００に画像読取動作を開始させる。汚れている場合（Ｓ２６でＹｅｓ）、制御部５１０は、走査部３０２を反射面３２２ｃ（或いは導光体３３０）の下方に移動させて（Ｓ３０）、その位置でＬＥＤ３１６ｃを再度、点灯させる（Ｓ３２）。また、制御部５１０は、操作パネル５０６に流し読みガラスの清掃を促す表示をする（Ｓ３４）。ユーザは、汚れを除去するため、原稿供給部２００の手前側を持ち上げて、原稿供給部２００を後方に回転させ、流し読みガラス３２１の上面３２１ｂと、固定読みガラス３０１の上面３０１ｂとを開放する。そして、ユーザは、光量調整摘み５０７を回して、ＬＥＤ３１６ｃの光量を光量調節部５１５で調節し、ＬＥＤ３１６ｃの明るさを、汚れを見やすい明るさに調節して、汚れを除去する（Ｓ３８，Ｓ４０，Ｓ４２）。
【００５３】
本発明の実施例では、走査部３０２に等倍光学系であるＣＩＳを使用しているが、縮小光学系のＣＣＤを使用してもよい。
【００５４】
また、以上の構成において、ロッドレンズアイ３１６ｄ、及びイメージセンサ３１６ｅは、走査部３０２に備えられて、ＬＥＤ３１６ｃと一体に副走査方向に移動するようになっている。しかし、図１２に示すように、ＬＥＤ６０２ｃは、走査部６０２と一体に移動し、反射光Ｌは、走査部６０２に設けられたミラー６２１と、装置本体３０３に設けられたミラー６２２，６２３を経て、レンズ６２４で集光されるようにしてもよい。レンズ６２４で集光された光は、信号処理部５０３で、電気信号に変換させて、種々の処理をされる。この場合において、光源としてのＬＥＤ６０２ｃ、ミラー６２１，６２２，６２３、レンズ６２４、信号処理部５０３等は、読取部６６０を構成している。
【００５５】
さらに、ガラスの汚れ検知手段が汚れを検知したときに実施するように説明しているが、ガラスの汚れを認めたユーザが操作部等から照射指示するときに光案内部から照射するようにしても良い。
【００５６】
また、光案内部は流し読みガラス（透明体）の原稿搬送方向下流側の端部に配置されているが、これに限定せず、原稿搬送方向上流側の端部に配置しても良い。
【符号の説明】
【００５７】
１００：画像形成装置、２００：原稿供給部、３００：画像読取装置、３０１：固定読みガラス、３０１ａ：固定読みガラスの下面、３０１ｂ：固定読みガラスの上面、３０２：走査部、３０３：画像読取装置の装置本体、３１６：ＣＩＳ、３１６ｃ：ＬＥＤ（光源）、３１６ｅ：イメージセンサ、３２１：流し読みガラス（透明体）、３２１ａ：流し読みガラスの下面、３２１ｂ：流し読みガラスの上面、３２１ｃ：流し読みガラスの端面、３２２：掬い上げ部材部材（原稿案内部材）、３２２ｂ：掬い上げ部材部材（原稿案内部材）の案内面、３２２ｃ：反射面（光案内部）、３３０：導光体（光案内部）、４００：画像形成装置の装置本体、４３０：画像形成部、４６０：読取部、５０６：操作パネル、５１０：制御部、５１４：汚れ検知部（汚れ検知手段）、６０２：走査部、６０２ｃ：ＬＥＤ（光源）、６６０：読取部、Ａ：第１の検知位置、Ｂ：第２の検知位置、Ｃ：第３の検知位置、Ｄ：原稿、Ｈ：原稿通過方向、Ｌ：光、Ｐ：シート。
【図１】
2015109623.tif 000003
【図２】
2015109623.tif 000004
【図３】
2015109623.tif 000005
【図４】
2015109623.tif 000006
【図５】
2015109623.tif 000007
【図６】
2015109623.tif 000008
【図７】
2015109623.tif 000009
【図８】
2015109623.tif 000010
【図９】
2015109623.tif 000011
【図１０】
2015109623.tif 000012
【図１１】
2015109623.tif 000013
【図１２】
2015109623.tif 000014